(57)【特許請求の範囲】
【請求項１】
少なくともポリプロピレン樹脂材料と、材料の繊維長が０．２ｍｍ〜２０ｍｍとした竹または笹からなる材料とを、前記竹または笹からなる材料の混入比率を５％から７０％として混入し、この材料を射出成形して構成することで、樹脂特有の暗くて画一的な音色を抑え、自然で明るい音色を再生できるようにして、音質の向上と精度の高い特性つくり、音つくりを可能としたスピーカ用ダストキャップ。
【請求項２】
動物繊維を混入した請求項１記載のスピーカ用ダストキャップ。
【請求項３】
強化材を混入した請求項１記載のスピーカ用ダストキャップ。
【請求項４】
ポリプロピレン樹脂材料と竹または笹からなる材料とで異なる色彩とした請求項１から請求項３記載のいずれか１つのスピーカ用ダストキャップ。
【請求項５】
ポリプロピレン樹脂材料を透明または半透明にした請求項４記載のスピーカ用ダストキャップ。
【請求項６】
磁気回路に結合されたフレームと、このフレームの外周部に結合された振動板と、この振動板に結合されるとともに、その一部が前記磁気回路の磁気ギャップに配置されたボイスコイルと、前記振動板のボイスコイルと反対側に請求項１から請求項５のいずれか１つに記載のダストキャップを結合してなるスピーカ。
【請求項７】
請求項６記載のスピーカと、少なくともこのスピーカへの入力信号の増幅回路とを備えた電子機器。
【請求項８】
請求項６記載のスピーカを移動手段に搭載した装置。
【発明の詳細な説明】
【技術分野】
【０００１】
本発明は各種音響機器や映像機器に使用されるスピーカ用ダストキャップやこれを用いたスピーカおよびステレオセットやテレビセット等の電子機器および装置に関するものである。
【背景技術】
【０００２】
従来の技術を図５により説明する。図５は、従来の射出成形による樹脂製のスピーカ用ダストキャップの断面図である。図５に示すように、スピーカ用ダストキャップ９はポリプロピレン等の樹脂を使用して、あらかじめダストキャップ形状に設定された金型に、樹脂ペレットを熱溶解させて射出成形して得ていた。
【０００３】
これらの射出成形による樹脂材料の種類としては、ポリプロピレン等の単一材料が一般的によく使用されている。このほか、ダストキャップとしての物性値の調整、すなわちスピーカとしての特性や音質の調整を目的として、種類の異なる樹脂を使用したブレンドタイプのダストキャップも存在していた。さらに、これら樹脂では調整が難しい物性値の調整については、マイカ等の強化材を混入して物性値の調整、スピーカとしての特性や音質の調整を実施していた。
【０００４】
なお、この出願の発明に関する先行技術文献情報としては、例えば、特許文献１が知られている。
【特許文献１】特開平３−２８９２９８号公報
【発明の開示】
【発明が解決しようとする課題】
【０００５】
最近の音響機器や映像機器、さらにはこれらの機器を搭載した自動車等の装置に関しては、デジタル技術の著しい進歩により、従来と比較して、飛躍的に性能向上が図られてきた。
【０００６】
その音質については、低歪化、広帯域化、高ダイナミックレンジ化とさらにリアルさを増し、高信頼性化とともに目覚ましい性能向上が図られてきた。よって、前述の電子機器の性能向上により、これら電子機器に使用されるスピーカについても、その性能向上が市場より強く要請されている。
【０００７】
一方、その性能向上が市場より強く要請されているスピーカについては、スピーカの構成部品の中で、その音質を決定する大きなウエイトを占めるダストキャップの高性能化対応が必要不可欠である。
【０００８】
ところがこのダストキャップは、昔ながらのパルプの抄紙による製法や、樹脂の射出成形やプレスによる製法、さらには布や金属のプレスによる製法等を用いて生産されていた。このため、これらのダストキャップは、そのそれぞれの特徴を生かしながら、その用途に合った使い分けをしてきたが、それぞれ欠点を有しており、前述の性能向上を目的とした市場要求に適うものではなかった。
【０００９】
すなわち、紙製では、物性値を細かく設定でき、スピーカとしての特性、音質の調整の自由度が大きく、内部損失も大きく周波数特性の平坦化を図れる利点はあるが、紙特有の欠点である耐湿信頼性や強度に劣るという欠点を有している。また、その生産については、抄紙という非常に多くの工程を必要としなければ得られないという欠点を有している。
【００１０】
一方、樹脂製では、耐湿や耐水信頼性や強度が確保でき、外観も優れたものとでき、生産性も向上できるが、樹脂の宿命である樹脂特有の画一的な物性値しか確保できないため、スピーカとしての特性、音質の調整範囲が非常に狭くなるという欠点を有している。
【００１１】
本発明は前記課題を解決し、スピーカとしての特性、音質の調整の自由度が大きく、耐湿信頼性や強度が確保でき、外観も優れたものとでき、生産性も向上できるスピーカ用ダストキャップを提供することを目的とするものである。
【００１２】
すなわち、紙と樹脂の良い特徴を両立させた優れたスピーカ用ダストキャップを提供することである。
【課題を解決するための手段】
【００１３】
上記目的を達成するために、本発明は、少なくともポリプロピレン樹脂材料と、材料の繊維長が０．２ｍｍ〜２０ｍｍとした竹または笹からなる材料とを、竹または笹からなる材料の混入比率を５％から７０％として混入し、この材料を射出成形して構成することで、樹脂特有の暗くて画一的な音色を抑え、自然で明るい音色を再生できるようにして、音質の向上と精度の高い特性つくり、音つくりを可能としてスピーカ用ダストキャップを構成している。この構成により、ポリプロピレン樹脂材料と竹または笹からなる材料の両方の特徴を生かすことができるダストキャップを得ることができる。
【００１４】
すなわち、大きな内部損失により周波数特性の平坦化を図れ、ダストキャップの物性値設定の自由度が大きく、耐湿信頼性や強度が確保でき、外観も優れたものとでき、生産性や接着性も向上できるスピーカ用ダストキャップを得ることができる。
【発明の効果】
【００１５】
以上のように本発明は、少なくともポリプロピレン樹脂材料と、材料の繊維長が０．２ｍｍ〜２０ｍｍとした竹または笹からなる材料とを、竹または笹からなる材料の混入比率を５％から７０％として混入し、この材料を射出成形することで、樹脂特有の暗くて画一的な音色を抑え、自然で明るい音色を再生できるようにして、音質の向上と精度の高い特性つくり、音つくりを可能としたスピーカ用ダストキャップを構成している。この構成により、大きな内部損失により周波数特性の平坦化を図れ、ダストキャップの物性値設定の自由度が大きい竹または笹からなる紙振動板の利点と、耐湿、耐水信頼性や強度が確保でき、外観に優れ、生産性や寸法安定性も向上できるポリプロピレン樹脂の利点の両方の特徴を生かすことができるダストキャップを得ることができる。よって、従来では実現できなかった竹または笹からなる材料とポリプロピレン樹脂の両方の物性を活かした特性つくり、音つくりが可能となる。
【００１６】
また、これらの竹または笹からなる材料、ポリプロピレン樹脂材料さらには、混入材である強化材料を多岐にわたる材料の中から、選定し適切に配合比率を設定していくことで、従来では不可能であった精度の高い物性値調整が可能となる。
【００１７】
さらに、色彩等の意匠上も、その組合せにより多岐にわたるデザインが可能となる。そして、その組合せによるバリエーションについても多数設定が可能であり、特性つくり、音つくり、デザイン上において、所望の要求を満足させることができる。
【発明を実施するための最良の形態】
【００１８】
以下、本発明の実施の形態について図面を用いて説明する。
【００１９】
（実施の形態１）
以下、実施の形態１を用いて、本発明について説明する。
【００２０】
図１は、本発明の一実施形態のダストキャップの断面図を示したものである。
【００２１】
図１に示すように、ダストキャップ２９は、樹脂材料２９Ａと竹または笹からなる材料２９Ｂとを混入した材料を射出成形して構成している。このダストキャップ２９の材料については、樹脂材料２９Ａに結晶性または非晶性のオレフィン樹脂を使用している。
【００２２】
オレフィン樹脂を使用することにより、成形性を良好化でき、また結晶性と非晶性の樹脂材料を、その用途に応じて使い分けすることで、樹脂材料としての最適な物性値および特性を満足させることが可能となる。
【００２３】
今回は、このうち樹脂材料２９Ａは、ポリプロピレンを使用した場合について説明する。ポリプロピレンは一般的に入手しやすく、射出成形も容易であるが、本発明は当樹脂材料に限定されることなく、その所望の特性値に応じて使い分けすることができる。例えば、高い耐熱性や、高い耐溶剤性が必要な場合は、その用途に合致したエンジニアリングプラスチックを使用することも可能である。
【００２４】
ベースとなるポリプロピレン樹脂材料に、パルプ材料２９Ｂとして竹または笹からなる材料を主体として組合せて構成している。ここで、竹または笹からなる材料は、自然で明るい音色を再生することができ、樹脂特有の暗くて画一的な音色を抑えることができる。また、竹または笹からなる材料以外に、サルファイトパルプやクラフトパルプとサルファイトパルプとの混合繊維を主体として組合せて、それぞれの特徴を活かして構成することで、さらに所望の特性、音質に近付けることができる。
【００２５】
ここで、葉繊維は、ダストキャップ２９の強度を向上させる傾向があり、マニラ麻がよく使用される。また、靭皮繊維は、ダストキャップ２９の靭性強度を向上させる傾向があり、楮、三椏、がんぴ、麻等がよく使用される。また、種子繊維は、ダストキャップ２９の内部損失を向上させる傾向があり、綿やリンタがよく使用される。また、果実繊維についても、ダストキャップ２９の内部損失を向上させる傾向があり、カポックがよく使用される。また、茎繊維は、ダストキャップ２９の弾性率を向上させる傾向があり、ケナフ、藁等の材料がよく使用される。
【００２６】
なお、前述の植物繊維では得られない音質の微調整を目的として、動物繊維である絹や羊毛等の材料を混入して強度や内部損失を微調整することもできる。
【００２７】
さらに、ダストキャップ２９の強化や、音に多少のアクセントを付けたり、音圧周波数特性にピークを持たせて音質調整したい場合には、強化材としてアルミニウム等の金属繊維、カーボン等の炭素繊維、ガラスやボロン等のセラミック繊維、アラミド等の有機高弾性繊維、さらにはマイカやグラファイト等を混入して構成することもできる。
【００２８】
また、前述の材料では満足できない内部損失を設けた音質を確保したい場合には、酸化亜鉛ウイスカ等の材料を混入して構成することもできる。
【００２９】
このようにして得られたダストキャップの物性値等の計測、評価を実施するとともに、このダストキャップを使用してスピーカを試作し、実際のスピーカとしての特性、音声の計測および視聴により、最終的な評価を実施する。
【００３０】
前述の評価により、所望の特性と音質が満足できない場合は、何度もこの試作プロセスを繰返す。そしてその中で、材料選定はもとより、それらの配合比率について改善を加え、順次目標とする音質に近付けていく。
【００３１】
以上のようなプロセスを繰返すことにより、所望の特性と音質を満足できるか、または非常に近いものに仕上げることができる。
【００３２】
また、本発明の竹または笹からなる材料の繊維長は、０．２ｍｍ〜２０ｍｍとして構成している。この構成により、ポリプロピレン樹脂材料と混練したときの効果を効率よく引出し、かつ生産性と品質を向上させることができる。ここで、竹または笹からなる材料の繊維長が、０．２ｍｍより短い場合は、竹または笹からなる材料の効果を効率よく出すことができなくなる。一方、２０ｍｍより長い場合は、繊維どうしの絡みから生じる二次凝集により分散性不良が発生しやすくなるため、ポリプロピレン樹脂材料との混練工程が長く必要となったり、振動板の表面に竹または笹からなる繊維が飛出て外観を損ねる等の生産性と品質上の問題を発生する。
【００３３】
さらに、本発明のポリプロピレン樹脂材料への竹または笹からなる材料の混入比率は、５％から７０％として構成している。この構成により、ポリプロピレン樹脂材料と混練したときの効果を効率よく引出し、かつ生産性と品質を向上させることができる。ここで、竹または笹からなる材料の混入比率が、５％に満たない場合は、竹または笹からなる材料の効果がほとんど現れない。一方、７０％より多い場合は、竹または笹からなる材料の欠点が現れ始め、振動板強度の低下および生産性と耐湿信頼性、さらには寸法安定性が低下してしまう。
【００３４】
以上のように、一般的な効果として、通常振動板２７からの振幅を受け、振動しているダストキャップ２９は、その分割共振により発生する不要なピークやディップを内部損失の大きい竹または笹からなる材料の効果により低減させることができる。
【００３５】
そして、接着性の良くない樹脂については、竹または笹からなる材料の効果により接着性を向上させることができる。
【００３６】
また、外観デザインの一手法として、樹脂材料２９Ａと竹または笹からなる材料２９Ｂとを異なる色彩として、一枚のダストキャップ２９に両方の材料が混入されていることをアピールできるデザインとすることも可能である。この場合は、特に樹脂材料を透明もしくは半透明にすることが望ましい。
【００３７】
以上のように本発明は、樹脂材料２９Ａと竹または笹からなる材料２９Ｂとを混入した材料を射出成形してスピーカ用ダストキャップ２９を構成することにより、分割共振により発生する不要なピークやディップを内部損失の大きいパルプの効果により低減させることができる。
【００３８】
また、ダストキャップ２９の物性値設定の自由度が大きく、接着性に優れた竹または笹からなる材料の利点と、耐湿、耐水信頼性や強度が確保でき、外観に優れ、生産性や寸法安定性も向上できるポリプロピレン樹脂の利点の両方の特徴を生かすことができるダストキャップを得ることができる。
【００３９】
よって、従来では実現できなかった竹または笹からなる材料とポリプロピレン樹脂の両方の物性を活かした特性つくり、音つくりが可能となる。
【００４０】
さらに、そのデザイン上も、竹または笹からなる材料とポリプロピレン樹脂材料の各々の色彩組合せにより多岐にわたるデザインが可能となる。
【００４１】
（実施の形態２）
以下、実施の形態２を用いて、本発明について説明する。
【００４２】
図２は、本発明の一実施形態のスピーカの断面図を示したものである。図２に示すように、着磁されたマグネット２１を上部プレート２２およびヨーク２３により挟み込んで内磁型の磁気回路２４を構成している。
【００４３】
この磁気回路２４のヨーク２３にフレーム２６を結合している。このフレーム２６の周縁部に、振動板２７の外周を接着している。そして、この振動板２７の中心部にボイスコイル２８の一端を結合するとともに、反対の一端を上記磁気回路２４の磁気ギャップ２５にはまり込むように結合して構成している。
【００４４】
そして、この振動板２７の中心部のボイスコイル２８との反対側に、請求項１から請求項５記載のいずれか１つのダストキャップ２９を接着して構成している。
【００４５】
以上は、内磁型の磁気回路２４を有するスピーカについて説明したが、これに限定されず、外磁型の磁気回路を有するスピーカに適用しても良い。
【００４６】
この構成により、実施の形態１において説明したように、分割共振により発生する不要なピークやディップを内部損失の大きい竹または笹からなる材料の効果によるダストキャップ２９により低減させることができる。
【００４７】
また、特性、音質の調整の自由度が大きく、耐湿信頼性や強度が確保でき、外観の優れた、生産性の高いスピーカを実現することができる。
【００４８】
よって、従来では実現できなかった竹または笹からなる材料とポリプロピレン樹脂の両方の物性を活かしたダストキャップ２９を使用することで、音質の向上と精度の高い特性つくり、音つくりが可能となる。さらに、色彩等の意匠上も、その組合せにより多岐にわたるデザインが可能となる。
【００４９】
そして、その組合せによるバリエーションについても多数設定でき、特性つくり、音つくり、デザイン上において、所望の要求を満足できるスピーカを実現することが可能となる。
【００５０】
ここで、上述したダストキャップ２９は、スピーカ構成部品の中での特性や音質を決定するウエイトは、その面積や体積、重量が大きいほど、その影響も大きくなる。
【００５１】
また、振動板２７の前面部に配置、接着されている構造上、このダストキャップ２９の外形寸法が、振動板２７の外形寸法に近い程度の大きさを有するダストキャップについては、振動板よりも特性や音質を決定するウエイトは大きくなる可能性がある。
【００５２】
これは、特にダストキャップにより、振動板から発生する高域成分や中高域成分を物理的にカットしているスーパーウーファー等に多く見られる構造である。
【００５３】
この原因は、ダストキャップは振動板から発生する振幅により振動して音を発生してはいるものの、人間の耳に直接到達する音は、振動板よりむしろダストキャップから発生したものの方が多いことによるためである。
【００５４】
よって、ダストキャップの材料、物性値により、その特性や音質が大きく左右されることになる。
【００５５】
この場合はスピーカ構成部品の中での特性や音質を決定するウエイトは、ダストキャップが一番高いものとなる。
【００５６】
（実施の形態３）
以下、実施の形態３を用いて、本発明について説明する。
【００５７】
図３は、本発明の一実施形態の電子機器であるオーディオ用のミニコンポシステムの外観図を示したものである。
【００５８】
図３に示すように、本発明のスピーカ３０をエンクロジャー４１に組込んで、スピーカシステムを構成し、このスピーカに入力する電気信号の増幅手段であるアンプ４２と、このアンプ４２に入力されるソースを出力するプレーヤ４３とを備えて、電子機器であるオーディオ用のミニコンポシステム４４を構成したものである。
【００５９】
この構成とすることにより、従来では実現できなかった竹または笹からなる材料とポリプロピレン樹脂の両方の特徴を活かしたダストキャップにより、音質の向上と精度の高い特性つくり、音つくり、デザインを可能とした電子機器を実現させることができる。
【００６０】
（実施の形態４）
以下、実施の形態４を用いて、本発明について説明する。
【００６１】
図４は、本発明の一実施形態の装置である自動車５０の断面図を示したものである。
【００６２】
図４に示すように、本発明のスピーカ３０をリアトレイやフロントパネルに組込んで、カーナビゲーションやカーオーディオの一部として使用して自動車５０を構成したものである。
【００６３】
この構成とすることにより、スピーカ３０の竹または笹からなる材料とポリプロピレン樹脂の両方の特徴を活かしたダストキャップにより、音質の向上と精度の高い特性つくり、音つくり、デザインを図ることで、このスピーカ３０を搭載した自動車等の装置の音響設計自由度を向上させることができる。
【産業上の利用可能性】
【００６４】
本発明にかかるスピーカ用ダストキャップ、スピーカ、電子機器および装置は、音質の向上と精度の高い特性つくり、音つくりが必要な映像音響機器や情報通信機器等の電子機器、さらには自動車等の装置に適用できる。
【図面の簡単な説明】
【００６５】
【図１】本発明の一実施の形態におけるスピーカ用ダストキャップの断面図
【図２】本発明の一実施の形態におけるスピーカの断面図
【図３】本発明の一実施の形態における電子機器の外観図
【図４】本発明の一実施の形態における装置の断面図
【図５】従来のダストキャップの断面図
【符号の説明】
【００６６】
２１  マグネット
２２  上部プレート
２３  ヨーク
２４  磁気回路
２５  磁気ギャップ
２６  フレーム
２７  振動板
２８  ボイスコイル
２９  ダストキャップ
２９Ａ  樹脂材料
２９Ｂ  パルプ材料
３０  スピーカ
４１  エンクロジャー
４２  アンプ
４３  プレーヤ
４４  ミニコンポシステム
５０  自動車
【図１】
0004749675.tif 000002
【図２】
0004749675.tif 000003
【図３】
0004749675.tif 000004
【図４】
0004749675.tif 000005
【図５】
0004749675.tif 000006